(57)【要約】【課題】住戸端末装置に録画されている映像を手間をかけずに消去することができる集合住宅インターホンシステムを提供すること。【解決手段】ユーザが制御装置２の操作手段２２を操作して録画情報の消去を入力すると、操作手段２２は消去入力を消去指示手段２３に送信し、消去指示手段２３は、通信手段２１によりネットワーク３を介して全ての住戸端末装置１に消去指示を送信する。住戸端末装置１の通信手段１１は、ネットワーク３を介して消去指示を受信すると、受信した消去指示を録画情報管理手段１３に送信し、録画情報管理手段１３は、通信手段１１から消去指示を受信すると、録画情報記憶手段１２に記憶されている録画情報を全て消去する。【選択図】      図１
2004336540.tif 000002
【特許請求の範囲】
【請求項１】
録画した映像を含む録画情報を記憶する録画情報記憶手段と、前記録画情報を管理するとともに消去指示を受信したとき前記録画情報記憶手段に記憶している録画情報を消去する録画情報管理手段とを有する住戸端末装置と、前記消去指示を前記住戸端末装置に送信する消去指示手段を有する制御装置とを備えることを特徴とする集合住宅インターホンシステム。
【請求項２】
前記住戸端末装置に前記録画情報の消去が完了したことを表示する表示手段を設けたことを特徴とする請求項１に記載の集合住宅インターホンシステム。
【請求項３】
前記制御装置は、通信できない状態にある前記住戸端末装置を検出する住戸異常検出手段と、前記住戸端末装置の通信状態を管理し、前記消去指示送信時に通信異常状態の前記住戸端末装置には通信正常状態になってから消去指示を送信する管理手段とを有することを特徴とする請求項１または請求項２に記載の集合住宅インターホンシステム。
【発明の詳細な説明】
【０００１】
【発明の属する技術分野】
本発明は、録画機能を有する住戸端末装置を複数備えた集合住宅インターホンシステムに関する。
【０００２】
【従来の技術】
従来、集合住宅インターホンシステムとしては、住居人の留守時に共同玄関のカメラが撮像した映像を録画したり、管理室から住戸の端末装置にメッセージを録画できたりするものが知られている。
【０００３】
また、住戸の端末装置に録画された最も新しい映像を管理室から消去することができるようにしたものもある（例えば、特許文献１参照）。
【０００４】
【特許文献１】
特開平９−２３８３２７号公報
【０００５】
【発明が解決しようとする課題】
しかし、このような従来の集合住宅インターホンシステムでは、住戸の端末装置に設置工事時に録画された映像が残ってしまっているため、工事業者が工事完了時に各住戸を回り、住戸端末装置を操作して録画されている映像を消去しなければならず、多大な手間がかかるという問題があった。
【０００６】
本発明はこのような問題を解決するためになされたもので、住戸端末装置に録画されている映像を手間をかけずに消去することができる集合住宅インターホンシステムを提供するものである。
【０００７】
【課題を解決するための手段】
本発明の集合住宅インターホンシステムは、録画した映像を含む録画情報を記憶する録画情報記憶手段と、前記録画情報を管理するとともに消去指示を受信したとき前記録画情報記憶手段に記憶している録画情報を消去する録画情報管理手段とを有する住戸端末装置と、前記消去指示を前記住戸端末装置に送信する消去指示手段を有する制御装置とを備える構成を有している。
【０００８】
この構成により、制御装置による消去指示により住戸端末装置の録画情報記憶手段に記憶している録画情報が消去されることとなる。
【０００９】
ここで、前記住戸端末装置に前記録画情報の消去が完了したことを表示する表示手段を設けた構成とした。
【００１０】
この構成により、住戸端末装置の録画情報記憶手段から録画情報が消去されたことが表示手段に表示され、録画情報の消去を確認することができる。
【００１１】
また、前記制御装置は、通信できない状態にある前記住戸端末装置を検出する住戸異常検出手段と、前記住戸端末装置の通信状態を管理し、前記消去指示送信時に通信異常状態の前記住戸端末装置には通信正常状態になってから消去指示を送信する管理手段とを有する構成とした。
【００１２】
この構成により、消去指示送信時に通信できない状態の住戸端末装置には、通信正常状態になってから消去指示が送信され、確実に消去指示を送信することができる。
【００１３】
【発明の実施の形態】
以下、本発明の実施の形態について、図面を参照して説明する。
【００１４】
（第１の実施の形態）
図１は本発明の第１の実施の形態の集合住宅インターホンシステムを示す図である。
【００１５】
図１に示すように、本実施の形態の集合住宅インターホンシステムは、複数の住戸にそれぞれ設置された住戸端末装置１と、複数の住戸端末装置１を一括で管理する制御装置２とを備え、住戸端末装置１と制御装置２は、ネットワーク３に接続されている。
【００１６】
住戸端末装置１は、ネットワーク３に接続され制御装置２との通信を制御する通信手段１１と、来客時等に録画した映像などの録画情報を蓄積する録画情報記憶手段１２と、制御装置２から受信した消去指示により録画情報記憶手段１２の録画情報を消去する録画情報管理手段１３とを有している。
【００１７】
制御装置２は、ネットワーク３に接続され複数の住戸端末装置１との通信を制御する通信手段２１と、録画情報の消去などの入力操作を行う操作手段２２と、操作手段２２からの消去入力を受信すると通信手段２１により住戸端末装置１に消去指示を送信する消去指示手段２３とを有している。
【００１８】
以上のように構成された集合住宅インターホンシステムにおいて、ユーザが制御装置２の操作手段２２を操作して録画情報の消去を入力すると、操作手段２２は消去入力を消去指示手段２３に送信する。
【００１９】
消去指示手段２３は、操作手段２２から消去入力を受信すると、通信手段２１によりネットワーク３を介して全ての住戸端末装置１に消去指示を送信する。
【００２０】
住戸端末装置１の通信手段１１は、ネットワーク３を介して消去指示を受信すると、受信した消去指示を録画情報管理手段１３に送信する。
【００２１】
録画情報管理手段１３は、通信手段１１から消去指示を受信すると、録画情報記憶手段１２に記憶されている録画情報を全て消去する。
【００２２】
以上のように、本実施の形態の集合住宅インターホンシステムによれば、制御装置２から録画情報の消去を指示する消去指示を住戸端末装置１に送信し、住戸端末装置１で消去指示を受信したとき録画情報記憶手段１２に記憶している録画情報を消去しているので、設置工事完了時などに住戸端末装置１に記憶されている録画情報を容易に消去することができ、集合住宅インターホンシステムを初期状態で引き渡すことが可能となる。
【００２３】
（第２の実施の形態）
図２は本発明の第２の実施の形態の集合住宅インターホンシステムを示す図である。なお、本実施の形態は、上述の第１の実施の形態と略同様に構成されているので、同様な構成には同一の符号を付して特徴部分のみ説明する。
【００２４】
本実施の形態の集合住宅インターホンシステムは、制御装置４に通信異常の住戸端末装置１を検出する住戸異常検出手段４３と、住戸端末装置１の通信状態を管理する管理手段４４とを設け、通信ができない住戸端末装置１への消去指示は通信ができるようになってから送信することを特徴としている。
【００２５】
具体的には、通信手段４１が通信できなくなった住戸端末装置１の識別情報を通信異常として住戸異常検出手段４３に通知し、住戸異常検出手段４３が通知された識別情報を通信異常として管理手段４４に通知する。
【００２６】
管理手段４４は、通信異常として通知された識別情報に基づいて、記憶している該当住戸端末装置１の通信状態を通信異常状態とする。
【００２７】
このようにして、管理手段４４は、制御装置４が制御する全ての住戸端末装置１の通信状態を記憶管理している。
【００２８】
そして、ユーザが制御装置４の操作手段２２を操作して録画情報の消去を入力すると、操作手段２２は消去入力を消去指示手段４２に送信する。
【００２９】
消去指示手段４２は、操作手段２２から消去入力を受信すると、通信手段４１によりネットワーク３を介して全ての住戸端末装置１に消去指示を送信するとともに、管理手段４４にも消去指示を送信する。
【００３０】
管理手段４４は、消去指示手段４２から消去指示を受信すると、その時に通信異常となっている住戸端末装置１に対応する情報に消去指示があったことを示す情報を付加する。
【００３１】
その後、通信手段４１において住戸端末装置１との通信が正常になると、住戸異常検出手段４３に正常となった住戸端末装置１の識別情報を通信正常として通知し、住戸異常検出手段４３が通知された識別情報を通信正常として管理手段４４に通知する。
【００３２】
管理手段４４は、通信正常として通知された識別情報に基づいて、記憶している該当住戸端末装置１の通信状態を通信正常状態とするとともに、該当住戸端末装置１に対応する情報に消去指示があったことを示す情報が付加されているかを判定し、付加されていれば、該当住戸端末装置１に消去指示を送信するように消去指示手段４２に要求する。
【００３３】
消去指示手段４２は、管理手段４４から消去指示の送信を要求されると、通信手段４１によりネットワーク３を介して要求された住戸端末装置１に消去指示を送信する。
【００３４】
住戸端末装置１は上述の実施の形態と同様に、消去指示を受信すると、録画情報記憶手段１２に記憶している録画情報を消去する。
【００３５】
以上のように、本実施の形態の集合住宅インターホンシステムによれば、住戸異常検出手段４３により住戸端末装置１との通信状態の異常および正常を検出し、管理手段４４で住戸端末装置１の通信状態を管理しているので、ユーザにより録画情報の消去が入力されたときに通信異常で消去指示が送信できない住戸端末装置１があっても、通信が可能な状態になった時点で消去指示を送信して録画情報を消去することができる。
【００３６】
（第３の実施の形態）
図３は本発明の第３の実施の形態の集合住宅インターホンシステムを示す図である。なお、本実施の形態は、上述の実施の形態と略同様に構成されているので、同様な構成には同一の符号を付して特徴部分のみ説明する。
【００３７】
本実施の形態の集合住宅インターホンシステムは、住戸端末装置５に録画情報の消去完了を表示する表示手段５３と、表示手段５３に消去完了を表示する時間を計時する計時手段５２とを設け、録画情報の消去完了時に表示手段５３に一定の時間消去完了を表示することを特徴としている。
【００３８】
具体的には、住戸端末装置５の録画情報管理手段５１は、図４のフローチャートに示すように、通信手段１１から消去指示を受信したか判定していて（Ｓ１１）、通信手段１１から消去指示を受信すると、録画情報記憶手段１２に記憶している録画情報の消去を開始する（Ｓ１２）。
【００３９】
そして、録画情報の消去が完了したか判定していて（Ｓ１３）、録画情報の消去が完了すると、録画情報管理手段５１は、表示手段５３に消去完了の表示（例えば、ランプの点灯）を開始する（Ｓ１４）とともに、計時手段５２に予め設定された時間の計時を開始させる（Ｓ１５）。
【００４０】
計時手段５２は、設定された時間の計時が終了すると、設定された時間が経過したことを録画情報管理手段５１に通知する。
【００４１】
録画情報管理手段５１は、計時手段５２から時間経過の通知があるか判定していて（Ｓ１６）、計時手段５２から設定した時間が経過したことを通知されると、表示手段５３に表示していた消去完了の表示を終了する（Ｓ１７）。
【００４２】
以上のように、本実施の形態の集合住宅インターホンシステムによれば、録画情報の消去完了時に表示手段５３に一定時間消去完了の表示を行うため、消去が完了したことを確実に確認させることができる。
【００４３】
なお、表示手段５３としてランプを使う場合、戸外に専用の表示ランプを設けてもよいし、住戸端末装置５に接続される玄関子機のランプを使ってもよい。また、ランプ以外の他の表示装置で行ってもよい。
【００４４】
【発明の効果】
以上説明したように、本発明によれば、住戸端末装置で消去指示を受信したとき録画情報を消去するようにすることにより、制御装置の送信する消去指示により住戸端末装置の録画情報を消去させることができ、住戸端末装置に録画されている映像を手間をかけずに消去することができる。
【図面の簡単な説明】
【図１】本発明の第１の実施の形態の集合住宅インターホンシステムを示すブロック図
【図２】本発明の第２の実施の形態の集合住宅インターホンシステムを示すブロック図
【図３】本発明の第３の実施の形態の集合住宅インターホンシステムを示すブロック図
【図４】本発明の第３の実施の形態の集合住宅インターホンシステムの住戸端末装置の処理を説明するフローチャート
【符号の説明】
１  住戸端末装置
１１  通信手段
１２  録画情報記憶手段
１３  録画情報管理手段
２  制御装置
２１  通信手段
２２  操作手段
２３  消去指示手段
３  ネットワーク
４  制御装置
４１  通信手段
４２  消去指示手段
４３  住戸異常検出手段
４４  管理手段
５  住戸端末装置
５１  録画情報管理手段
５２  計時手段
５３  表示手段
【図１】
2004336540.tif 000003
【図２】
2004336540.tif 000004
【図３】
2004336540.tif 000005
【図４】
2004336540.tif 000006